(57)【要約】【課題】薄型の情報記録媒体を安定的に記録再生できるようにターンテーブルやスピンドル等に固定する機構を備えた情報記録再生装置及びこれに用いられるディスククランパを提供する。【解決手段】記録面の内周部に媒体管理情報が記録された情報記録媒体と、情報記録媒体を載置するターンテーブルと、前記ターンテーブルとの間に情報記録媒体を挟んで固定するディスククランパとを備えた情報記録再生装置であって、前記ディスククランパは、情報記録媒体の記録面の少なくとも一部を覆うような寸法形状を有していることを特徴とする情報記録再生装置。【選択図】図１
2007200470.tif 000002
【特許請求の範囲】
【請求項１】
記録面の内周部に媒体管理情報が記録された情報記録媒体と、
情報記録媒体を載置するターンテーブルと、
前記ターンテーブルとの間に情報記録媒体を挟んで固定するディスククランパとを備えた情報記録再生装置であって、
前記ディスククランパは、情報記録媒体の記録面の少なくとも一部を覆うような寸法形状を有していることを特徴とする情報記録再生装置。
【請求項２】
記録面の内周部に媒体管理情報が記録された情報記録媒体と、
情報記録媒体に沿ってその上側に配置されるターンテーブルと、
前記ターンテーブルとの間に情報記録媒体を挟んで固定するディスククランパとを備えた情報記録再生装置であって、
前記ディスククランパは、情報記録媒体の記録面の少なくとも一部を覆うような寸法形状を有していることを特徴とする情報記録再生装置。
【請求項３】
前記ディスククランパは、情報記録媒体の記録面のうち媒体管理情報が記録された部分の少なくとも一部を覆うような寸法形状を有していることを特徴とする請求項１又は２に記載の情報記録再生装置。
【請求項４】
前記ディスククランパが情報記録媒体を覆っている面積は、前記ターンテーブルが情報記録媒体を覆っている面積よりも小さいことを特徴とする請求項１から３のいずれか１項に記載の情報記録再生装置。
【請求項５】
記録面の内周部に媒体管理情報が記録された情報記録媒体を、ターンテーブルに対して固定するディスククランパであって、
情報記録媒体の記録面の少なくとも一部を覆うような寸法形状を有していることを特徴とするディスククランパ。
【請求項６】
記録面の内周部に媒体管理情報が記録された情報記録媒体を、ターンテーブルに対して固定するディスククランパであって、
情報記録媒体の記録面のうち媒体管理情報が記録された部分の少なくとも一部を覆うような寸法形状を有していることを特徴とするディスククランパ。
【請求項７】
前記ディスククランパが情報記録媒体を覆っている面積は、前記ターンテーブルが情報記録媒体を覆っている面積よりも小さいことを特徴とする請求項５又は６に記載のディスククランパ。
【発明の詳細な説明】
【技術分野】
【０００１】
本発明は、情報記録媒体を情報記録再生プレイヤーに装着し、情報記録媒体に対する情報の記録又は情報記録媒体の記録情報の再生を行う情報記録再生装置に係り、特に情報記録再生プレイヤーのターンテーブルやスピンドル等に情報記録媒体を固定させる方法に関する。
【背景技術】
【０００２】
近年、情報化社会が進み膨大な情報を記憶する必要があることから、外部記憶装置の記録密度の向上が著しい。光情報記録媒体いわゆる光ディスクの分野でも、記録情報の高密度化の要望に応えるために、レーザの短波長化及び対物レンズの高開口数化により光スポットサイズを小さくする方法や、記録層の透過率を上げることによる多層化の方法等の研究が盛んに行われている。また、光ディスクの記憶容量を増大させるために、多層記録あるいはホログラム記録による体積記録密度を高める方法の研究も盛んに行われている。
【０００３】
しかしながら、現状では、このような光スポット径の微小化や記録層の多層化により大容量化を図る方法は物理的限界に近い状況にあるとともに、多層記録では各層で光がある程度吸収されるので数層程度の構成が現実的と考えられており、ホログラム記録では狭スポット化による記録密度向上が見込み難い。そのため、これら技術だけでは、テラバイト（ＴＢ）クラスの大容量光ディスクの実現は極めて困難な状況にある。
【０００４】
そこで、これら方法とは別途に、情報記録媒体の厚みを薄くして体積記録密度を高める研究が行われている。例えば、特許文献１には、厚さ０．１ｍｍ程度の薄型の光ディスクを複数枚収容したカートリッジが提案されている。
【０００５】
【特許文献１】特開２００５−１７４５１５号公報
【発明の開示】
【発明が解決しようとする課題】
【０００６】
しかしながら、特許文献１に示すような薄型の情報記録媒体は、可撓性を有するため、情報記録再生装置のターンテーブルやスピンドル等に固定する際、情報記録媒体のクランプされていない部分に撓み、垂れ等の変形が生じ、記録再生エラーが生じたり記録再生装置や媒体が破損したりするという問題点があった。特に、図５に示すように、情報記録媒体の内周寄りの領域には、媒体の管理情報が記録されているのが一般的であるため、この領域において変形が生じてしまうと、記録再生に重大な影響を及ぼすことになる。ここで、情報記録媒体の管理情報とは、媒体の種類、ベンダー名、セッション情報、ブランクディスクであるか否かを示す情報等を含むのが一般的である。
【０００７】
本発明は上述した問題点を鑑みなされたものであって、薄型の情報記録媒体を安定的に記録再生できるようにターンテーブルやスピンドル等に固定する機構を備えた情報記録再生装置及びこれに用いられるディスククランパを提供することを目的とする。
【課題を解決するための手段】
【０００８】
上記解決課題に鑑みて鋭意研究の結果、本発明者は、情報記録媒体の記録面周部の付近にある管理情報が記録されている部分をディスククランパで抑えこんで、当該部分を歪みなく安定した形状に保つ情報記録媒体の保持機構を考案した。
【０００９】
すなわち、本発明は、記録面の内周部に媒体管理情報が記録された情報記録媒体と、情報記録媒体を載置するターンテーブルと、前記ターンテーブルとの間に情報記録媒体を挟んで固定するディスククランパとを備えた情報記録再生装置であって、前記ディスククランパは、情報記録媒体の記録面の少なくとも一部を覆うような寸法形状を有していることを特徴とする情報記録再生装置を提供するものである。
【００１０】
本発明は、また、記録面の内周部に媒体管理情報が記録された情報記録媒体と、情報記録媒体に沿ってその上側に配置されるターンテーブルと、前記ターンテーブルとの間に情報記録媒体を挟んで固定するディスククランパとを備えた情報記録再生装置であって、前記ディスククランパは、情報記録媒体の記録面の少なくとも一部を覆うような寸法形状を有していることを特徴とする情報記録再生装置を提供するものである。
【００１１】
本発明の情報記録再生装置において、前記ディスククランパは、情報記録媒体の記録面のうち媒体管理情報が記録された部分の少なくとも一部を覆うような寸法形状を有していることを特徴とする。
【００１２】
本発明の情報記録再生装置において、前記ディスククランパが情報記録媒体を覆っている面積は、前記ターンテーブルが情報記録媒体を覆っている面積よりも小さいことを特徴とする。
【００１３】
本発明は、また、記録面の内周部に媒体管理情報が記録された情報記録媒体を、ターンテーブルに対して固定するディスククランパであって、情報記録媒体の記録面の少なくとも一部を覆うような寸法形状を有していることを特徴とするディスククランパを提供するものである。
【００１４】
本発明は、また、記録面の内周部に媒体管理情報が記録された情報記録媒体を、ターンテーブルに対して固定するディスククランパであって、情報記録媒体の記録面のうち媒体管理情報が記録された部分の少なくとも一部を覆うような寸法形状を有していることを特徴とするディスククランパを提供するものである。
【００１５】
前記ディスククランパが情報記録媒体を覆っている面積は、前記ターンテーブルが情報記録媒体を覆っている面積よりも小さいことを特徴とする。
【発明の効果】
【００１６】
以上、説明したように、本発明の情報記録再生装置及びディスククランパによれば、情報記録媒体の情報管理エリアに撓みが生じても、記録層が形成されている半径位置までクランプするエリアを広げることによって低速回転で情報記録媒体の管理情報を読み出すことができる。また、ターンテーブルに対して情報記録媒体が下側に設置された場合、重力による撓みも防止することが可能となる。
【発明を実施するための最良の形態】
【００１７】
以下、添付図面を参照しながら、本発明の情報記録再生装置及びディスククランパを実施するための最良の形態を詳細に説明する。図１〜図４は、本発明の実施の形態を例示する図であり、これらの図において、同一の符号を付した部分は同一物を表わし、基本的な構成及び動作は同様であるものとする。
【００１８】
図１は、本発明の情報記録再生装置の一実施形態として、情報記録媒体とこれを保持する機構を概略的に示す図である。図１において、スピンドル１に支持されたターンテーブル２上に光情報記録媒体３が配置されており、光情報記録媒体３の中央付近の上部にはディスククランパ４及びチャッキング部材５が配置されている。スピンドル１及びディスククランパ４は磁性体を含んでおり、これらが引き合うことによって、光情報記録媒体３をターンテーブル２とチャッキング部材５との間に挟み込んで固定している。チャッキング部材５は、円盤状の部材であり、光情報記録媒体３の管理情報が記録された内周部をカバーするような寸法となっている。
【００１９】
図２は、図１に示すターンテーブル２の平面図である。ターンテーブル２はガラス基板等からなり、光情報記録媒体３の直径と同程度かこれよりやや大きい直径を有しており、その中央にはスピンドル１との嵌合用の孔２１を有している。この孔の近傍の内周縁部には、光情報記録媒体３とターンテーブル２との間に空気層を確保するための環状のスペーサ２３が形成されており、さらにその外周には空気流入用の８つの貫通穴２２が等間隔に形成されている。
【００２０】
図１に示す情報記録媒体の保持機構を有する情報記録再生装置において記録再生を行う際には、レーザ光を照射しフォーカスサーボをかけ、ターンテーブル２及び光情報記録媒体３を低速で回転させてトラッキングサーボをかけた後に、光情報記録媒体３の管理情報を検出し、当該管理情報で指定されている回転数でターンテーブル２及び光情報記録媒体３を回転させてユーザデータ等の記録再生を行う。ここで、光情報記録媒体３の内周部の管理情報が記録された領域は、チャッキング部材５によってターンテーブル２に対して押圧されているので、静止時や低速回転時であっても図５に示すような撓みなどは生じないようになっている。
【００２１】
ユーザデータ等の記録再生の際には、光情報記録媒体３は高速回転されるので、ターンテーブル２と光情報記録媒体３との間の空気が遠心力により外周方向に流れて、ターンテーブル２と光情報記録媒体３との間に負圧が発生し、両者が引き付け合うようになっている。これにより、光情報記録媒体３の全体にわたって撓みなどが解消されて、安定的に記録再生を行うことができる。
【００２２】
また、チャッキング部材５の寸法は、光情報記録媒体３の管理情報が記録された内周部をカバーするが、光情報記録媒体３の全面を覆うほど大きくはない。このため、ターンテーブル２と光情報記録媒体３の間よりも、ディスククランパ４と光情報記録媒体３の間の方に空気が流入しやすいため、光情報記録媒体３をターンテーブル２及びディスククランパ４から取り外す際に、光情報記録媒体３がディスククランパ４側に張り付いてしまうことはない。光情報記録媒体３の取り外し時に、光情報記録媒体３がディスククランパ４側に付随してしまうと、光情報記録媒体３のハンドリングが困難になるのみならず、光情報記録媒体３が記録再生装置内に残留してしまったり、取り出し動作中に光情報記録媒体３がディスククランパ４から外れて傷付いてしまったりするおそれがあるので、このような問題が生じないようにチャッキング部材５の寸法を決める必要がある。
【００２３】
図３は、本発明の情報記録再生装置において情報記録媒体とこれを保持する機構の他の構成例を概略的に示す図である。図３において、スピンドル１に支持されたターンテーブル２下に光情報記録媒体３が配置されており、光情報記録媒体３の中央付近の下部にはディスククランパ４及びチャッキング部材５が配置されている。これらの構成部品は、図１に示すものと同様に構成されているものとする。また、スピンドル１及びディスククランパ４の磁力による光情報記録媒体３の固定、チャッキング部材５の寸法形状についても、上記同様である。
【００２４】
従来、ターンテーブル下に薄型の情報記録媒体を配置した場合には、通常の直径の小さいディスククランパで情報記録媒体の中央部付近を固定するのみであり、情報記録媒体のその他の部分は垂れ下がり、高速で回転させない限りは、ターンテーブルと平行な状態、すなわち記録再生可能な状態にはならなかった。しかしながら、図３に示す情報記録媒体の保持機構を有する情報記録再生装置においては、光情報記録媒体３の内周部の管理情報が記録された領域は、チャッキング部材５によってターンテーブル２に対して押圧されているので、静止時や低速回転時であっても図５に示すような撓みなどは生じることもなく、媒体の管理情報を読み取ることができるようになっている。
【００２５】
図４は、本発明の情報記録再生装置において情報記録媒体とこれを保持する機構のさらに他の構成例を概略的に示す図である。図４において、スピンドル１に支持されたターンテーブル２下に光情報記録媒体３が配置されており、光情報記録媒体３はトレー７によって保持されており、さらにトレー７下部の光情報記録媒体３の中央付近の位置にはチャッキング部材５及びこれを上下に駆動するステージ６が配置されている。また、ターンテーブル２の上方には、スピンドル１を保持するＤＶＤドライブ９があり、ＤＶＤドライブ９のターンテーブル２に対向する面には、光情報記録媒体３に対して記録再生を行うための光ヘッド８が装着されている。スピンドル１、ターンテーブル２、チャッキング部材５等については、図２に示すものと同様に構成されているものとする。
【００２６】
トレー７は中央に穴を有しており、光情報記録媒体３の外径よりもやや大きな径の円形の窪みが形成されている。光情報記録媒体３の着脱の際には、光情報記録媒体３を載せたトレー７を搬送する。これにより、搬送中に光情報記録媒体３の折れや曲がりが生じるのを防止することができる。
【００２７】
尚、上記した情報記録媒体の保持機構では、光情報記録媒体３の内周部に管理情報が記録されていることを前提としているが、記録媒体の種類によっては（例えば、再生専用のＲＯＭディスク等）異なる位置に管理情報が記録されている場合もある。このような場合には、当該管理情報が記録されている記録媒体の領域をチャッキング部材等によって固定するよう適当な設計変更を行えば、上記した情報記録媒体の保持機構と同様の効果を得ることが可能である。
【００２８】
以下に、本発明の情報記録再生装置及びディスクククランパについて実施例を用いて具体的に説明するが、本発明はこれらに限定されるものではない。
【実施例】
【００２９】
（実施例１）
本実施例で用いる光情報記録媒体は、以下のように作製した。まず、トラックサーボのための案内溝等が形成されている内径１５ｍｍ、外径１２０ｍｍ、厚さ０．６ｍｍの、中央に挿通孔を備えた円盤状のＰＣ（ポリカーボネート）基板を、通常の光情報記録媒体の製造に使用されている射出成型法によって作製し、そのＰＣ基板上にＵＶ硬化樹脂（紫外線硬化型樹脂）を塗布した。
【００３０】
次いで、内径１５ｍｍ、外径１２０ｍｍ、厚さ０．１ｍｍの中央に挿通孔を備えた円盤状のＰＣ基板を通常の光情報記録媒体の製造に使用されている射出成型法によって作製し、そのＰＣ基板上に、接着層として接着剤を厚さ１０μｍで塗布した。
【００３１】
次いで、ＵＶ硬化樹脂を塗布した厚さ０．６ｍｍの他方のＰＣ基板と、接着剤を塗布した厚さ０．１ｍｍのＰＣ基板とを、相互の軸心を合わせて両塗布面同士を張り合わせた後、厚さ０．６ｍｍのＰＣ基板のみを、そのＵＶ硬化樹脂の塗布面から剥離した。
【００３２】
このようにして、剥離面にトラックサーボのための案内溝等が形成されたＵＶ硬化樹脂が接着剤を介して積層された内径１５ｍｍ、外径１２０ｍｍ、厚さ０．１ｍｍのＰＣ基板を作製した。
【００３３】
次いで、厚さ０．１ｍｍのＰＣ基板のＵＶ硬化樹脂面に記録層として色素を、基板の半径１７ｍｍより外周側にスピンコートで塗布した後、この色素が塗布されたＵＶ硬化樹脂面に銀反射膜をマグネトロンスパッタ法にて成膜し、その後、保護膜としてＵＶ樹脂をスピンコートで塗布することによって、光情報記録媒体を作製した。また、専用の記録装置を用いて、媒体の半径２５ｍｍ付近の記録層に媒体の管理情報を記録した。
【００３４】
本実施例で用いるターテーブルは、図２に示す例にならって、厚さ０．５ｍｍの内径１５ｍｍ、外径１２０ｍｍ、屈折率１．５５のドーナツ状のガラス基板を用い、中央に径１５ｍｍのスピンドル嵌合用の孔を形成して作製した。スピンドル挿通孔近傍の内周縁部には、直径６ｍｍの空気流入用の穴を等間隔に８つ形成し、スピンドル嵌合用の孔の周辺部には、内径が１５ｍｍ、外径が２５ｍｍ、厚さが０．１ｍｍの環状のスペーサを形成して光情報記録媒体とターンテーブルの間に空気層を確保することとした。
【００３５】
本実施例で用いるディスククランパは、厚さ０．６ｍｍ、内径１５ｍｍで、それぞれ外径３０ｍｍ、４０ｍｍ、５０ｍｍ、８０ｍｍ及び１２０ｍｍのＰＣ基板からなるチャッキング部材を備えたものを作製した。
【００３６】
上記のターンテーブルに光情報記録媒体を載せ、その上からチャッキング部材を押し当てて固定した。チャッキング部材とスピンドルとに埋め込まれた磁性体により、両者は固定される。このように保持された光情報記録媒体を、市販のＤＶＤ（Digital Versatile Disk）ドライブを用いてフォーカシング等の試験を行った。ここで、光ヘッドからのレーザ光は、ターンテーブルの厚さ０．５ｍｍのガラス基板と光情報記録媒体の厚さ０．１ｍｍのＰＣ基板を透過して記録層に達するため、市販されているＤＶＤディスクと同様の光学条件で記録再生を行うことができる。
【００３７】
まず、静止した状態の光情報記録媒体の半径２５ｍｍの位置における周方向の撓み量を光変移計で測定した。その測定結果（最大値）を、表１に示す。
【００３８】
【表１】
2007200470.tif 000003
【００３９】
この結果から、ディスククランパの外径が３０ｍｍ（すなわち半径が１５ｍｍ）である場合には、他の場合に比べて撓み量が極めて大きくなることが分かる。これは、記録層や保護膜が配置されている部分（半径１７ｍｍから外周側部分）は、基板に膜の応力が働くためその径方向の境界部分で撓み量が大きくなるにもかかわらず、基板がむきだしの状態の場所、すなわち半径１５〜１７ｍｍの内周縁部だけで光情報記録媒体が固定されるためであると考えられる。
【００４０】
ディスククランパの外径が４０ｍｍ（すなわち半径が２０ｍｍ）の場合は、記録層が配置されている部分（半径１７ｍｍから外周側部分）もディスククランパで押さえるため、応力による基板の撓み量が低減される。ディスククランパの外径が５０ｍｍ以上（すなわち半径が２５ｍｍ以上）の場合は、測定位置までディスククランパで押さえ込まれているため、撓み量がさらに小さくなっている。
【００４１】
次に、上記の径が異なるクランプそれぞれを用いた保持機構において、光情報記録媒体をＤＶＤの１倍速の回転数に相当する１３００ｒｐｍで回転させてフォーカスサーボがかかるかどうかを検証した。その検証結果を、表２に示す。尚、表中の×はフォーカスサーボが全くかからなかったことを、○は１分以上安定してフォーカスサーボがかかっていたことを示している。
【００４２】
【表２】
2007200470.tif 000004
【００４３】
ディスククランパの外径が３０ｍｍ（すなわち半径が１５ｍｍ）の場合は、光情報記録媒体の撓み量が大きく、情報記録再生装置のサーボゲインが許容する面ブレ量を超えてしまうため、フォーカスサーボをかけることができなかった。ディスククランパの外径が４０ｍｍ（半径２０ｍｍ）以上の場合は、光情報記録媒体の撓み量が十分に小さいためにフォーカスサーボをかけることができた。
【００４４】
次に、ディスククランパとターンテーブルを分離して、光情報記録媒体を取り外す動作を行った。このとき、外径が１２０ｍｍ（半径６０ｍｍ）のディスククランパを用いた場合には、取り外し動作においてディスククランパ側に光情報記録媒体が付随してしまう現象が生じた。そこで、１０回に渡ってディスククランパとターンテーブルを分離して、光情報記録媒体を取り外す試験を行いに、光情報記録媒体がディスククランパ側及びターンテーブル側のいずれに付随するかを計数した。その結果を、表３に示す。
【００４５】
【表３】
2007200470.tif 000005
【００４６】
ディスククランパの外径が８０ｍｍ（半径４０ｍｍ）以下の場合は、ターンテーブルと光情報記録媒体の間よりも、ディスククランパと光情報記録媒体の間の方に空気が流入しやすいため、光記録情報媒体は全てターンテーブル側に残り、ディスククランパの取り外しを問題なく行うことができた。
【００４７】
一方、ディスククランパの外形が１２０ｍｍ（半径６０ｍｍ）の場合は、ターンテーブルとディスククランパの外径が同じであるため、ターンテーブル及びディスククランパには、ほぼ同程度の光情報記録媒体を吸着する作用が生じ、光情報記録媒体はディスククランパに残る場合が多くなる。
【００４８】
以上の試験、測定の結果から、本実施例で用いるディスククランパは４０ｍｍ以上８０ｍｍ以下の外径のものが好ましいことが分かる。
【００４９】
（実施例２）
本実施例で用いる光情報記録媒体は、以下のように作製した。まず、凹凸のユーザデータがピットとして形成されている内径１５ｍｍ、外径１２０ｍｍ、厚さ０．６ｍｍのＰＣ基板を通常の光情報記録媒体の製造に使用されている射出成型法によって作製し、そのＰＣ基板上にＵＶ硬化樹脂を塗布した。
【００５０】
次いで、内径１５ｍｍ、外径１２０ｍｍ、厚さ０．１ｍｍのＰＣ基板上に接着層として接着剤を厚さ１０μｍで塗布した。その後、ＵＶ硬化樹脂を塗布した厚さ０．６ｍｍのＰＣ基板と、接着剤を塗布した厚さ０．１ｍｍのＰＣ基板とを張り合わせ、厚さ０．６ｍｍのＰＣ基板のみを剥離した。このようにして、凹凸のユーザデータがピットとして形成された内径１５ｍｍ、外径１２０ｍｍ、厚さ０．１ｍｍのＰＣ基板を作製した。
【００５１】
次いで、内径１５ｍｍ、外径１２０ｍｍ、厚さ０．１ｍｍのＰＣ基板にアルミ反射膜をマグネトロンスパッタ法にて５０ｎｍの厚さで成膜した後に、保護膜としてＵＶ樹脂をスピンコートで塗布することによって光情報記録媒体を作製した。また、専用の記録装置を用いて、媒体の半径２５ｍｍ付近の記録層に媒体の管理情報を記録した。
【００５２】
本実施例で用いるターテーブルは、図２に示す例にならって、厚さ０．５ｍｍの内径１５ｍｍ、外径１２０ｍｍ、屈折率１．５５のドーナツ状のガラス基板を用い、中央に径１５ｍｍのスピンドル嵌合用の孔を形成して作製した。スピンドル挿通孔近傍の内周縁部には、直径６ｍｍの空気流入用の穴を等間隔に８つ形成し、スピンドル嵌合用の孔の周辺部には、内径が１５ｍｍ、外径が２５ｍｍ、厚さが０．１ｍｍの環状のスペーサを形成して光情報記録媒体とターンテーブルの間に空気層を確保することとした。
【００５３】
本実施例で用いるディスククランパとしては、厚さ０．６ｍｍ、内径１５ｍｍで、それぞれ外径３０ｍｍ及び５０ｍｍのＰＣ基板からなるチャッキング部材を備えたものを作製した。
【００５４】
図３及び図４に示す例にならって、市販のＤＶＤドライブのスピンドルに上記のターンテーブルを接着剤で貼り付け、ターンテーブルのディスク裁置面が下側になるように配置した。チャッキング部材は上下に動くステージに搭載し、ターンテーブルの真下に配置した。光情報記録媒体を搬送するためのトレーとして、厚さ０．３ｍｍの板の中央に１００ｍｍの穴をあけ、外径１２２ｍｍより内側の厚みを０．１ｍｍとしたものを作製した。光情報記録媒体を裁置したトレーをターンテーブルとチャッキング部材の間に手作業で搬送した。トレーに載せた光情報記録媒体をターンテーブル下に配置し、その下からチャッキング部材を押し当てて固定した。チャッキング部材とスピンドルとに埋め込まれた磁性体により、両者は固定される。このように保持された光情報記録媒体を、ＤＶＤドライブを用いてフォーカシング等の試験を行った。ここで、光ヘッドからのレーザ光は、ターンテーブルの厚さ０．５ｍｍのガラス基板と光情報記録媒体の厚さ０．１ｍｍのＰＣ基板を透過して記録層に達するため、市販されているＤＶＤディスクと同様の光学条件で記録再生を行うことができる。
【００５５】
光情報記録媒体は、下側からはチャッキング部材のみで支えられているため、図３に示すように光情報記録媒体３の外側は下側に垂れる。この状態で、光情報記録媒体の管理情報が記録されている半径２５ｍｍの位置におけるターンテーブルと光情報記録媒体との間隔を測定した。さらに、スピンドルをＤＶＤの１倍速に相当する１３００ｒｐｍの回転数で回転させ、フォーカシングサーボがかかるかどうかテストを行った。表中の×はフォーカスサーボが全くかからなかったことを、○は１分以上安定してフォーカスサーボがかかっていたことを示している。
【００５６】
【表４】
2007200470.tif 000006
【００５７】
チャッキング部材の外径が３０ｍｍの場合は、ターンテーブルと光情報記録媒体との間隔が広すぎて、レーザ光が光情報記録媒体に対して斜めに入射してフォーカスサーボをかけることができなかった。チャッキング部材の外径が５０ｍｍの場合は、チャッキング部材とターンテーブルによって光情報記録媒体が挟まれているため、ターンテーブルと光情報記録媒体の間隔はほぼゼロであった。また、再生レーザ光もターンテーブルを介して真っ直ぐ光情報記録媒体に到達するため、通常のＤＶＤと同様にフォーカスサーボをかけることができた。
【００５８】
外径が５０ｍｍのチャッキング部材を用いて、光情報記録媒体の管理情報を検出し、当該管理情報で指定されている回転数で、ターンテーブル２及び光情報記録媒体を回転させた。光情報記録媒体が回転するとターンテーブルと光情報記録媒体との間の空気は外周方向に流れるため、ターンテーブルと光情報記録媒体との間には引力が働き、光情報記録媒体はターンテーブルにならってターンテーブルとほぼ平行な状態で安定した。このように光情報記録媒体の形状が安定した後に、記録再生を行うことができる。
【００５９】
以上、本発明の情報記録再生装置及びディスククランパについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００６０】
【図１】本発明の情報記録再生装置の一実施形態について、情報記録媒体とこれを保持する機構を概略的に示す図である。
【図２】図１に示すターンテーブルの平面図である。
【図３】本発明の情報記録再生装置において情報記録媒体とこれを保持する機構の他の構成例を概略的に示す図である。
【図４】本発明の情報記録再生装置において情報記録媒体とこれを保持する機構のさらに他の構成例を概略的に示す図である。
【図５】従来の情報記録再生装置における問題点を説明する図である。
【符号の説明】
【００６１】
１  スピンドル
２  ターンテーブル
２１  スピンドル嵌合用孔
２２  空気穴
２３  スペーサ
３  光情報記録媒体
４  ディスククランパ
５  チャッキング部材
６  上下駆動ステージ
７  トレー
８  光ヘッド
９  ＤＶＤドライブ
【図１】
2007200470.tif 000007
【図２】
2007200470.tif 000008
【図３】
2007200470.tif 000009
【図４】
2007200470.tif 000010
【図５】
2007200470.tif 000011